(57)【特許請求の範囲】
【請求項１】
中心長手方向軸線をもつプラズマガンシャフト手段と、中心長手方向軸線をもち、前記プラズマガンシャフト手段に固定されかつ径方向に放出されるプラズマトーチを作るための手段をもつプラズマガンヘッド手段を含み、前記プラズマガンヘッド手段は、陽極ベース本体部材手段と陰極ベース本体部材手段と、前記陽極ベース本体部材手段と陰極ベース本体部材手段の間に置かれた絶縁本体部材手段を含み、前記陽極ベース本体部材手段は前記プラズマガンシャフト手段から前記プラズマガンヘッド手段へ動作電力を伝送するための少なくとも１つの電気接点素子手段を備え、前記陰極ベース本体部材手段は前記プラズマガンシャフト手段から前記プラズマガンヘッド手段へ動作電力を伝送するための少なくとも１つの電気接点素子手段を備えて成るプラズマ噴霧装置において、前記プラズマガンシャフト手段が前記プラズマガンヘッド手段を前記プラズマガンシャフト手段に連結するための迅速解放締め付け手段を備え、前記絶縁本体部材手段及び／又は前記電気接点素子手段が前記プラズマガンシャフト手段に接続されるための前記プラズマガンヘッド手段の面より外方に突き出ており、前記絶縁本体部材手段及び／又は前記電気接点素子手段が前記プラズマガンシャフト手段上に設けられた前記迅速解放締め付け手段に掛合させられる表面手段を備えたことを特徴とするプラズマ噴霧装置。
【請求項２】
前記表面手段は凹所によって構成されることを特徴とする請求項１に記載のプラズマ噴霧手段。
【請求項３】
前記表面手段は突出部によって構成されることを特徴とする請求項１に記載のプラズマ噴霧手段。
【請求項４】
前記表面手段は凹所及び突出部によって構成されることを特徴とする請求項１に記載のプラズマ噴霧手段。
【請求項５】
２つの電気接点素子手段を備え、それらは前記プラズマガンヘッド手段の前記中心長手方向軸線に平行に延在し、前記２つの電気接点素子手段は前記プラズマガンシャフト手段に連結されるための前記プラズマガンヘッド手段の面より外方に突き出ていることを特徴とする請求項１から４のうちの何れか１項に記載のプラズマ噴霧装置。
【請求項６】
前記絶縁本体部材手段は前記２つの電気接点素子手段間に延在する突出部手段を含み、前記突出部手段は横方向と前記プラズマガンシャフト手段に向かう方向の両方向において前記電気接点素子手段の外方に突き出ていることを特徴とする請求項１から５のうちの何れか１項に記載のプラズマ噴霧装置。
【請求項７】
前記プラズマガンシャフト手段は２つの旋回可能に取り付けられた迅速解放レバー手段を備え、前記２つのレバー手段の各々は前記表面手段に掛合するよう適用される偏心手段を備えたことを特徴とする請求項１から６のうちの何れか１項に記載のプラズマ噴霧装置。
【請求項８】
前記偏心手段は前記プラズマガンへッド手段を前記プラズマガンシャフト手段に固定するとき前記絶縁本体部材手段の前記突出部手段に掛合するよう適用されるスロット手段を備えたことを特徴とする請求項７に記載のプラズマ噴霧装置。
【請求項９】
前記プラズマガンヘッド手段を前記プラズマガンシャフト手段に固定するとき前記接点素子手段を前記プラズマガンシャフト手段に向かって引くように前記偏心手段の形状と前記表面手段の形状は互いに調和させられていることを特徴とする請求項７又は８の何れか１項に記載のプラズマ噴霧装置。
【請求項１０】
前記プラズマガンヘッド手段は各々凹所手段を備えた２つの接点素子手段を含み、前記プラズマガンシャフト手段は初期の休止位置から作動位置へ作動される２つの迅速解放レバー手段を備え、前記プラズマガンシャフト手段は一旦それらがそれらの作動位置へくると、前記迅速解放レバー手段を受け入れるよう適用されることを特徴とする請求項１から９のうちの何れか１項に記載のプラズマ噴霧装置。
【請求項１１】
前記電気接点素子は実質上プレート状形状をもち、前記プラズマガンヘッド手段の前記中心長手方向軸線に平行に配置されることを特徴とする請求項１から１０のうちの何れか１項に記載のプラズマ噴霧装置。
【請求項１２】
前記迅速解放レバー手段は電気絶縁材料から作られることを特徴とする請求項１から１１のうちの何れか１項に記載のプラズマ噴霧装置。
【発明の詳細な説明】
【０００１】
【発明の属する分野】
本発明は特にチューブやパイプの内壁を被覆するためのプラズマ噴霧装置に関する。プラズマ噴霧装置は通常は、プラズマガンシャフトと、前記プラズマガンシャフトに固定されかつ径方向に放出されるプラズマトーチを作るための手段をもつプラズマガンヘッド部材を含む。
【０００２】
【従来の技術】
径方向に放出されるプラズマトーチを作るための手段をもつプラズマ噴霧装置はチューブとパイプの内壁を被覆するために特に適する。例えば４０mmの内径をもつ比較的小さいチューブ又はパイプを被覆可能となすためには、プラズマ噴霧装置、特にプラズマガンヘッド部材は極めてコンパクトな設計をもたなければならない。しかしもしプラズマガンヘッド部材の寸法が小さくされると、いくつかの問題が生じる。例えば、プラズマガンへ部材の熱的負荷が増大する。その結果、プラズマガンヘッドの一定の部品や素子、特にその陰極や通常ノズルとして設計される陽極はかなりの磨耗を受ける。これらの部品の使用寿命は、小さいチューブやパイプの内壁を被覆する作業中熱放散が悪いため悪影響を受ける。
【０００３】
【発明が解決しようとする課題】
従って本発明の目的は、特に迅速にかつ容易に交換できるプラズマガンへッド部材をもつチューブやパイプの内壁を被覆するためのプラズマ噴霧装置を提供することにある。本発明の他の目的は、特に、磨耗を受ける装置の部品や素子を容易にかつ迅速に交換できるチューブやパイプの内壁を被覆するためのプラズマ噴霧装置を提供することにある。
【０００４】
【課題を解決するための手段】
これらのかつ他の目的を達成するために、本発明は、第１の形態として、中心長手方向軸線をもつプラズマガンシャフト部材と、中心長手方向軸線をもち、プラズマガンシャフト部材に固定されかつ径方向に放出されるプラズマトーチを作るための手段をもつプラズマガンヘッド部材を含む特にチューブとパイプの内壁を被覆するためのプラズマ噴霧装置を提供する。
【０００５】
前記プラズマガンへッド部材は、陽極ベース本体部材と、陰極ベース本体部材、前記陽極ベース本体部材と陰極ベース本体部材の間に置かれた絶縁本体部材を含む。前記陽極ベース本体部材は前記プラズマガンシャフト部材から前記プラズマガンへッド部材へ動作電力を伝送するための少なくとも１つの電気接点素子を備え、前記陰極ベース本体部材は前記プラズマガンシャフト部材から前記プラズマガンへッド部材へ動作電力を伝達するための少なくとも１つの電気接点素子を備える。
【０００６】
前記プラズマガンシャフト部材が前記プラズマガンヘッド部材を前記プラズマガンシャフト部材に連結するための迅速解放締め付け手段を備え、前記絶縁本体部材は前記プラズマガンシャフト部材に接続されるための前記プラズマガンヘッド部材の面より外方に突き出る。更に、前記絶縁本体部材は前記プラズマガンシャフト部材上に設けられた前記迅速解放締め付け手段に掛合するよう適用される表面手段を備える。
【０００７】
第２態様として、本発明は第２の形態として、中心長手方向軸線をもつプラズマガンシャフト部材と、中心の長手方向軸線をもち、プラズマガンシャフト部材に固定されかつ径方向に放出されるプラズマトーチを作るための手段をもつプラズマガンヘッド部材を含む特にチューブやパイプの内壁を被覆するためのプラズマ噴霧装置を提供する。
【０００８】
前記プラズマガンへッド部材は、陽極ベース本体部材と、陰極ベース本体部材、前記陽極ベース本体部材と陰極ベース本体部材の間に置かれた絶縁本体部材を含む。前記陽極ベース本体部材は前記プラズマガンシャフト部材から前記プラズマガンへッド部材へ動作電力を伝送するための少なくとも１つの電気接点素子を備え、前記陰極ベース本体部材は前記プラズマガンシャフト部材から前記プラズマガンへッド部材へ動作電力を伝送するための少なくとも１つの電気接点素子を備える。
【０００９】
プラズマガンヘッド部材はプラズマガンヘッド部材をプラズマガンシャフトシャフト部材に連結するための迅速解放締め付け手段を備え、そのため、陽極ベース本体部材上に備えた電気接点素子と陰極ベース本体部材上に備えた電気接点素子がプラズマガンヘッド部材の面より外方に突き出ており、前記プラズマガンヘッド部材はプラズマガンシャフト部材に連結されることを予定され、かつプラズマガンシャフト部材に設けられた前記迅速解放締め付け手段に掛合するよう適用される。
【００１０】
従って第３の形態として、本発明は中心長手方向軸線をもつプラズマガンシャフト部材と、中心長手方向軸線をもつプラズマガンヘッド部材とを含み、前記プラズマガンヘッド部材はプラズマガンシャフト部材に固定されるよう適用されかつ径方向に放出されるプラズトーチを作るための手段をもって成る特にチューブやパイプの内壁を被覆するためのプラズ噴霧装置を提供する。
【００１１】
プラズへッド部材は陽極ベース本体部材と、陰極ベース本体部材と、陽極ベース本体部材と陰極ベース本体部材の間に置かれた絶縁本体部材を含む。陽極ベース本体部材はプラズマガンシャフト部材からプラズマガンへッド部材に動作電力を伝送するよう適用される少なくとも１つの電気接点素子を備え、また、陰極ベース本体部材はプラズマガンシャフト部材からプラズマガンへッド部材に動作電力を伝送するよう適用される少なくとも１つの電気接点素子を備える。
【００１２】
プラズマガンシャフト部材はプラズマガンヘッド部材をプラズマガンシャフト部材に連結するための迅速解放締め付け手段を備え、そのため絶縁本体部材と陽極ベース本体部材上に備えた電気接点素子、及び陰極ベース本体部材上に備えた電気接点素子がプラズマガンヘッド部材の面の外方に突き出でおり、前記プラズマガンヘッド部材はプラズマガンシャフト部材に連結されることを予定され、かつプラズマガンシャフト部材上に備えた迅速解放シャフト手段に掛合するよう適用される。以下、本発明の実施例を添付図面に基づいて詳述する。
【００１３】
図１a と1bはプラズマガンヘッド部材１を２つの異なった図で、すなわち側面図と、プラズマガンシャフト部材に向いた面を示す正面図で示す。同様に図２aと2bはプラズマガンシャフト部材２を、異なった図で、すなわち側面図と、プラズマガンへッド部材に向いた面を示す正面図で示す。これらの図は実尺度を示すものでないのは言うまでもない。かかるプラズマ噴霧装置の一般的設計と作業モードは当業者には既知であるので以下には本発明の本質をなすプラズマガンへッド部材と、プラズマガンシャフト部材の特徴のみを説明する。
【００１４】
プラズマガンヘッド部材１は陽極ベース部材４、陰極ベース部材６、及び陽極ベース部材４と陰極ベース部材６の間に挿入される絶縁部材５を含む。こうして、陽極ベース部材４は陰極ベース部材６から電気絶縁される。陽極ベース部材４は陽極ノズル部材１０を備え、陰極ベース部材６は陰極部材１１を備える。陽極ノズル部材４と陰極部材６はその中心長手方向軸線に対して直角に延びる方向でプラズマガンヘッド部材１に挿入される。従ってプラズマガンヘッド部材１の作業中に発生するプラズマはプラズマガンヘッド部材１から径方向に放出される。
【００１５】
陽極ベース部材４と陰極ベース部材６の両者は良導電率をもつ材料、例えば黄銅から作られる。そのため、陽極ノズル部材１０は陽極ベース部材４に電気接続され、陰極部材１１は陰極ベース部材６に電気接続される。被覆パウダーはプラズマガンへッド部材１の外部に置かれたチューブ部材１３によってプラズマガンへッド部材１に送られる。
【００１６】
プラズマガンへッド部材１は極めてコンパクトな設計のものであるので、プラズマ噴霧装置は４０mm以上の直径をもつチューブ又はパイプの内壁を被覆するのに特に適する。
【００１７】
作業用とプラズマガンへッド組立体１の冷却用に必要な媒体を送るため、複数のチャンネル１５を備えるが、当業者にはこれらのチャンネルは良く知られているので、これ以上の説明は必要ないだろう。これらのチャンネルすべてを密封するために、O リング（図示せず）を設ける。プラズマガンへッド部材1 に被覆パウダーを送るために必要なホース（図示せず）が便利にチューブ部材１３に連結されかつそこから除去される。
【００１８】
プラズマガンヘッド組立体１に電力を送るために陽極ベース部材４と陰極ベース部材６の両者は夫々電気接点素子７、８を備える。絶縁本体部材５は２つの前述の接点素子７，８間に延びる突出部９を備える。この突出部は２つの接点素子７，８を互いに電気絶縁する。２つの接点素子７，８のみならず、突出部９もまたプラズマガンシャフト部材２に向かってプラズマガンヘッド部材１の表面より外方に突き出る。両接点素子７、８は横凹所１７、１８を備える。その目的は後述する。絶縁部材５の突出部９は横及び前の両方向において２つの接点素子７，８より外方に突き出ている。
【００１９】
プラズマガンシャフト部材２は２つのチューブ部材２０、２１を夫々備え、これらそれらの間に一定距離をおいて互いに平行に延在している。それらの内部を通してプラズマガンへッド部材１の作業に必要な媒体が進行する。２つの迅速解放締め付けレバー部材２３が２つのチューブ部材２３の間に置かれる。２つの締め付けレバー部材２３の各々は、それらの正面側にスロット２５を含む偏心部分２４を備える。プラズマガンへッド部材１に向いたチューブ部材２０、２１の正面側S １は各々接合部材２７、２８を備える。両接合部材２７、２８は各々プラズマガンへッド部材１の接点素子７、８を受け入れるための凹所３０、３２を備える。
【００２０】
図３ａ乃至３c に基づいて以下、プラズマガンヘッド部材１がプラズマガンシャフト部材２に取り付けられる方法を説明する。特に図３a は迅速解放締め付けレバー部材２３の設計と、接点素子７、８の設計を明示している。更に、図3a は迅速解放締め付けレバー部材２３の各々がスロット２５を含む偏心部分２４を備えること、及び各々が凹所１７を備えること、及び絶縁部材５の突出部９が２つの接点素子７，８の外方に垂直と正面の両方向において突き出ることを明示しており、図3aが上側接点素子７のみを示していることは言うまでもない。
【００２１】
図3aはプラズマガンへッド部材１及びプラズマガンシャフト部材２の上面図を示す。プラズマガンシャフト部材２は初期位置にすなわちプラズマガンへッド部材１がプラズマガンシャフト部材２に固定される準備のできた位置にその迅速解放締め付けレバー部材２３をもつ。そのためプラズマガンへッド部材１をシャフト部材２に固定するためにプラズマガンへッド部材１の接点素子７はプラズマガンシャフト部材２の対応する凹所３０に差し込まれ、迅速解放締め付けレバー部材２３は上向き方向に回される（図3bに示される如く）。従って迅速解放締め付けレバー部材２３は接点素子７の凹所１７に掛合する。偏心部分２４は一旦迅速解放締め付けレバー部材２３が回されると、偏心部分２４が接点素子７をプラズマガンシャフト組立体２に向かって引くように設計される。
【００２２】
図３ｃは２つの迅速解放締め付けレバー部材２３が完全に回されて、プラズマガンへッド部材１がプラズマガンシャフト部材２に固定されるそれらの作動位置にもっていかれる状態を示す。電気接続がプラズマガンへッド部材１とプラズマガンシャフト部材２の間になされることが保証される。大事なことだが、プラズマガンシャフト部材２のチャンネル１５はプラズマガンへッド部材１に設けた対応するチャンネルに作動可能に接続されることが保証される。前述のＯリング密封部材を設けることによって、これらのチャンネルが確実に密封されることが保証される。更に、迅速解放締め付けレバー部材２３の設計と、弾性的に撓むＯリング密封部材を設けることによって、プラズマガンへッド部材１が一定の偏倚力をもってプラズマガンシャフト部材に固定されることが保証される。従って迅速解放締め付けレバー部材２３は確実にそれらの鎖錠位置を占める。
【００２３】
前述した如くプラズマガンヘッド部材１の設計と、接点素子７，８の設計に因り、また迅速解放締め付けレバー部材２３の設計に因り、全プラズマガンヘッド部材１を容易にかつ迅速に交換するか又はそれを取り除いて陽極ノズル部材１０と陰極１１のような磨耗をうける部品及び素子を交換することができる。更に、接点素子７，８もまたプル部材(pull member) として使用されるという事実に因り、動作電力を伝達するそれらの本当の仕事は別にして、プラズマガンヘッド部材１は極めて小さい素子又は組立体として設計することができる。横及び長手方向の両方向で前記接点素子７，８の外方に突き出る２つの接点素子７，８間に置かれた絶縁本体部材５の突出部の特別の設計のお陰で、かなり長い絶縁経路が２つの接点素子７，８間に作られ、その結果２つの接点素子７，８が互いに確実に絶縁される。
【００２４】
前述の実施例は本発明を実現する多くのモードのうちの１つに過ぎず、本発明は他の多くの可能な変更が本発明の範囲内で可能であるのは言うまでもない。 例えば接点素子７，８はプラズマガンシャフト部材２上に設けられた迅速解放締め付けレバー部材２３をプラズマガンへッド部材に掛合させることができるよう凹所の代わりに突出部を備えることができる。更に、絶縁部材５とその突出部９は夫々、迅速解放締め付けレバー部材２３に掛合するよう適合させられる凹所及び/ 又は突出部を備えることができる。
【図面の簡単な説明】
【図１】（ａ）はプラズマガンへッド部材の側面図である。
（ｂ）はプラズマガンシャフト部材に向いた面を示す、プラズマガンへッド部材の正面図である。
【図２】（ａ）はプラズマガンシャフト部材の側面図である。
（ｂ）はプラズマガンへッド部材に向いた面を示す、プラズマガンシャフト部材の正面図である。
【図３】（ａ）はプラズマガンへッド部材をプラズマガンシャフト部材に連結する１段階におけるプラズマガンへッド部材とプラズマガンシャフト部材の上面図である。
（ｂ）はプラズマガンへッド部材をプラズマガンシャフト部材に連結する他の段階におけるプラズマガンへッド部材とプラズマガンシャフト部材の上面図である。
（ｃ）はプラズマガンへッド部材をプラズマガンシャフト部材に連結する更に他の段階におけるプラズマガンへッド部材とプラズマガンシャフト部材の上面図である。
【符号の説明】
１  プラズマガンへッド部材
２  プラズマガンシャフト部材
４  陽極ベース部材
５  絶縁部材
６  陰極ベース部材
７、８  接点素子
９  突出部
１０  陽極ノズル部材
１１  陰極部材
１３  チューブ部材
１５  チャンネル
１７、１８  横凹所
２０、２１  チューブ部材
２３  迅速解放締め付けレバー部材
２７、２８  接合部材
【図１】
0004287986.tif 000002
【図２】
0004287986.tif 000003
【図３】
0004287986.tif 000004